(57)【要約】【課題】身体形状の変化の大きい後方領域のフィット性を改善させ、防漏性を向上させた吸収性物品を提供すること。また、吸収量を阻害することなく、防漏性を向上させた吸収性物品を提供すること。【解決手段】本発明の失禁パッド１Ａは、表面シート２と、裏面シート３と、これらシート間に配された吸収層４とを備えており、縦長のものである。失禁パッド１Ａの吸収層４は、高吸収性ポリマーを有する吸収シートを積層してなる複層部４０を備えている。複層部４０は、装着者の体液排泄部に当接される排泄部領域Ａ、及び排泄部領域Ａよりも後方の後方領域Ｂそれぞれに配置されている。後方領域Ｂに配置された複層部は、スリット又はエンボスにより形成された幅方向（Ｘ方向）に延びる横長の屈曲部７を複数個備えている。横長の屈曲部７は、長手方向（Ｙ方向）に間欠的に並設されている。【選択図】図１
2010142367.tif 000002
【特許請求の範囲】
【請求項１】
肌当接面を形成する表面シートと、非肌当接面側を形成する裏面シートと、これらシート間に配された吸収層とを備えた縦長の吸収性物品であって、
前記吸収層は、高吸収性ポリマーを含有する吸収シートを積層してなる複層部を備えており、
前記複層部は、装着者の体液排泄部に当接される排泄部領域、及び該排泄部領域よりも後方の後方領域それぞれに配置されており、
前記後方領域に配置された複層部は、スリット又はエンボスにより形成された幅方向に延びる横長の屈曲部を複数個備えており、該屈曲部は、長手方向に間欠的に並設されている吸収性物品。
【請求項２】
前記複層部は、前記排泄領域に配置された複層部と前記後方領域に配置された複層部とに、中間領域を挟んで分離されている請求項１に記載の吸収性物品。
【請求項３】
前記排泄領域に配置された複層部と前記後方領域に配置された複層部との間には、前記表面シート及び前記吸収層を圧縮して形成される一対の中間溝が、平面視してハの字状に配されており、
ハの字状の一対の前記中間溝は、前記中間領域から前記排泄領域に配置された複層部の両側に向かい拡開して延びている請求項２に記載の吸収性物品。
【請求項４】
スリットにより形成された前記横長の屈曲部は、前記後方領域に配置された複層部の前記裏面シート側の吸収シートに形成されており、エンボスにより形成された前記横長の屈曲部は、前記後方領域に配置された複層部の前記表面シート側の吸収シートに形成されている請求項１〜３の何れかに記載の吸収性物品。
【請求項５】
前記排泄領域に配置された複層部において、前記表面シート側の吸収シートに長手方向に延びる縦長の屈曲部を複数個備えており、
前記縦長の屈曲部は、エンボスにより形成されており、
前記縦長の屈曲部は、幅方向に間欠的に並設されている請求項１〜４の何れかに記載の吸収性物品。
【発明の詳細な説明】
【技術分野】
【０００１】
本発明は、薄いシート状の吸収体を用いた失禁パッド、パンティーライナー（おりものシート）、生理用ナプキン等の嵩張らないタイプの吸収性物品に関する。
【背景技術】
【０００２】
従来より、装着者の身体形状に沿うようにフィット性を改善させて、防漏性を向上させた生理用ナプキン等の吸収性物品が知られている。例えば、特許文献１には、装着者の身体形状に沿うようにセグメント分けされたコアを備えた生理用ナプキンが開示されている。
【０００３】
しかし、特許文献１に記載の生理用ナプキンのコアは、各セグメントの大きさが略均一であり、装着者の体液排泄部に当接される排泄部領域よりも後方の、身体形状の変化の大きい後方領域に複数個のセグメントが設けられていないので、フィット性を改善させ難く、防漏性を向上させ難い。また、特許文献１に記載の生理用ナプキンのコアは、各セグメント同士の間が分離しているため、防漏性を向上させ難い。
【０００４】
【特許文献１】特許第３２３３９３０号公報
【発明の開示】
【発明が解決しようとする課題】
【０００５】
したがって、本発明の目的は、薄いシート状の吸収体を用いた嵩張らないタイプの吸収性物品における、身体形状の変化の大きい後方領域のフィット性を改善させ、防漏性を向上させた吸収性物品を提供することにある。また、吸収量を阻害することなく、防漏性を向上させた吸収性物品を提供することにある。
【課題を解決するための手段】
【０００６】
本発明は、肌当接面を形成する表面シートと、非肌当接面側を形成する裏面シートと、これらシート間に配された吸収層とを備えた縦長の吸収性物品であって、前記吸収層は、高吸収性ポリマーを含有する吸収シートを積層してなる複層部を備えており、前記複層部は、装着者の体液排泄部に当接される排泄部領域、及び該排泄部領域よりも後方の後方領域それぞれに配置されており、前記後方領域に配置された複層部は、スリット又はエンボスにより形成された幅方向に延びる横長の屈曲部を複数個備えており、該屈曲部は、長手方向に間欠的に並設されている吸収性物品を提供するものである。
【発明の効果】
【０００７】
本発明の吸収性物品によれば、身体形状の変化の大きい後方領域のフィット性が向上し、防漏性が優れている。また、吸収量が向上し、防漏性が優れている。
【発明を実施するための最良の形態】
【０００８】
以下、本発明の吸収性物品である失禁パッドの好ましい第１実施形態について、図１〜図４に基づいて説明する。ここでは失禁パッドの例について説明するが、あくまでも一用途例であり、生理用ナプキンやパンティーライナーに適用することもできる。
【０００９】
第１実施形態の失禁パッド１Ａは、図１に示すように、失禁パッド１Ａの長手方向に延びる中心線ＣＬに対して左右対称に形成されている。第１実施形態の失禁パッド１Ａは、図１に示すように、肌当接面を形成する表面シート２と、非肌当接面を形成する裏面シート３と、これらシート２，３間に配された吸収層４とを備えており、実質的に縦長である。第１実施形態の失禁パッド１Ａの吸収層４は、高吸収性ポリマーを含有する吸収シートを積層してなる複層部４０を備えている。第１実施形態の失禁パッド１Ａの複層部４０は、装着者の体液排泄部に当接される排泄部領域Ａ、及び排泄部領域Ａよりも後方の後方領域Ｂそれぞれに配置されている。後方領域Ｂに配置された複層部は、スリット又はエンボスにより形成された幅方向（以下「Ｘ方向」という。Ｘ方向：中心線ＣＬに垂直な方向をいう。）に延びる横長の屈曲部７を複数個備えている。第１実施形態の失禁パッド１Ａの複数個の横長の屈曲部７は、長手方向（以下「Ｙ方向」という。Ｙ方向：中心線ＣＬに平行な方向をいう。）に間欠的に並設されている。
【００１０】
第１実施形態の失禁パッド１Ａについて、詳述すると、本実施形態の失禁パッド１Ａ（以下、「パッド１Ａ」ともいう。）は、図１，図２に示すように、液透過性の表面シート２、液不透過性又は液難透過性の裏面シート３、及びこれら両シート２，３間に介在された液保持性の吸収層４を具備する。また、パッド１Ａの肌当接面側の長手方向（Ｙ方向）の両側部には、その長手方向（Ｙ方向）の略全長に亘って一対のサイドシート５，５が、それぞれ配されている。サイドシート５は、中心線ＣＬ寄りの側縁部が、吸収層４の長手方向（Ｙ方向）の側縁部と重なっており、吸収層４の上方に配されている。
本明細書において、「肌当接面側」とは、各部材の両側（面）のうち、着用時に着用者の肌側に向けて配される側（面）を示す。また、「非肌当接面側」とは、各部材の両側（面）のうち、着用時に着用者の肌側とは反対側に向けて配される側（面）を示す。
【００１１】
パッド１Ａは、図１に示すように、装着者の体液排泄部に当接される排泄部領域Ａと、排泄部対向部Ａの後方に延在する後方領域Ｂと、排泄部対向部Ａの前方に延在する前方領域Ｃとを有する。パッド１Ａの装着時には、後方領域Ｂが装着者の後（背）側に、前方領域Ｃが装着者の前（腹）側にそれぞれ配される。
【００１２】
表面シート２は、図１に示すように、吸収層４の肌当接面側の全域を被覆しており、吸収層４の長手方向（Ｙ方向）の両端縁４ａ，４ａそれぞれから外方に延出した部分を有している。表面シート２は、図２に示すように、幅方向（Ｘ方向）の長さが裏面シート３よりも短くなっている。サイドシート５，５は、図２に示すように、表面シート２の肌当接面側であって、吸収層４の長手方向（Ｙ方向）両側縁４ｂ，４ｂそれぞれから外方に延出しており、表面シート２の両側部２１，２１の長手方向（Ｙ方向）の全域に亘って配され固定されている。固定は、接着、融着（ヒートエンボス、超音波エンボス、高周波エンボス）等により行われている。裏面シート３は、図２に示すように、吸収層４の非肌当接面側の全域を被覆し、吸収層４の外方全域に亘って延出した部分を有している。
【００１３】
パッド１Ａは、図１，図２に示すように、吸収層４の長手方向（Ｙ方向）両側縁４ｂ，４ｂそれぞれから外方に延出したサイドシート５と裏面シート３とが固定されて形成されたサイドフラップ部６を備えている。固定は、接着、融着等により行われている。サイドフラップ部６は、図１に示すように、排泄部領域Ａ及び後方領域Ｂのそれぞれにおいて大きく幅方向（Ｘ方向）外方に延出し、一対のウイング部６１，６１及び一対の後部フラップ部６２，６２を形成している。後部フラップ６２は、着用時にショーツ等の着衣の内面（肌対向面）上に配される。
【００１４】
パッド１Ａの裏面シート３の幅方向（Ｘ方向）中央部及び一対の該ウイング部６１，６１の非肌当接面側には、それぞれ粘着剤が塗布されて、ナプキン１をショーツ等に固定するための固定部（図示せず）が形成されている。
【００１５】
吸収層４は、図１に示すように、装着時の前後方向と同方向に長い形状であり、高吸水性ポリマーを含有する吸収シートを積層してなる複層部４０を備えている。第１実施形態の失禁パッド１Ａにおける吸収層４は、図２に示すように、吸収シートを積層して形成されている。吸収層４は、図１，図２に示すように、前方部Ｃから後方部Ｂに亘って配された長片吸収体４１と、排泄部領域Ａ及び後方領域Ｂに亘って配された短片吸収体４２とから構成されている。本発明で用いる吸収シートは、薄くても柔らかく吸収性能が落ちることがないとの観点から、その厚みとしては、０．２ｍｍ〜４ｍｍであることが好ましくは、０．５ｍｍ〜２ｍｍであることがさらに好ましい。このような吸収性シートとしては、湿潤したパルプ層に吸収ポリマーを散布したあと乾燥して形成される公知の吸収シートが一例として用いられる。
【００１６】
吸収層４の長片吸収体４１は、図２に示すように、表面シート２側に配された上部吸収体４１１と裏面シート３側に配された下部吸収体４１２とから構成されており、上部吸収体４１１及び下部吸収体４１２は、何れも、長手方向（Ｙ方向）に長い長方形状をなしている。第１実施形態の失禁パッド１Ａにおいては、長片吸収体４１は、図２に示すように、一枚の吸収シートをＣ状に折り畳んで形成されている。具体的には、長手方向（Ｙ方向）に長い長方形状の吸収シートの両側部を、短片吸収体４２を包むように裏面シート３側に折り返し、その折り返した部分の側縁同士を吸収シートの幅方向（Ｘ方向）中央部で一致又は重ね合わせることにより、上部吸収体４１１と下部吸収体４１２とを有する長片吸収体４１を形成している。薄い吸収シートでも積層することで、吸収性能をさらに向上させることができるとともに、後述するように、エンボスやスリット加工を、積層された吸収シートのどちらか一方の層に形成することもできる。
【００１７】
吸収層４の短片吸収体４２は、高吸収性ポリマーを含有する吸収シートから形成されており、長片吸収体４１の幅方向（Ｘ方向）中央に長手方向（Ｙ方向）に亘って形成されている。短片吸収体４２は、図１に示すように、排泄部領域Ａ及び後方領域Ｂに亘って配されており、排泄部領域Ａの排泄域吸収部４２ａと後方領域Ｂの後方領域吸収部４２ｂとを有している。短片吸収体４２は、図２に示すように、長片吸収体４１の幅方向（Ｘ方向）中央であって、上部吸収体４１１と下部吸収体４１２との間に配されている。
【００１８】
短片吸収体４２は、図２に示すように、表面シート２側に配された上部吸収体４２１と裏面シート３側に配された下部吸収体４２２とから構成されており、上部吸収体４２１及び下部吸収体４２２は、何れも、長手方向（Ｙ方向）に長い長方形状をなしている。第１実施形態の失禁パッド１Ａにおいては、短片吸収体４２は、図２に示すように、一枚の吸収シートをＣ状に折り畳んで形成されている。具体的には、長手方向（Ｙ方向）に長い長方形状の吸収シートの両側部を、表面シート２側に折り返し、その折り返した部分の側縁同士を吸収シートの幅方向（Ｘ方向）中央部で一致又は重ね合わせることにより、上部吸収体４２１と下部吸収体４２２とからなる短片吸収体４２を形成している。
【００１９】
第１実施形態の失禁パッド１Ａの吸収層４においては、長片吸収体４１と、高吸収性ポリマーを有する吸収シートから形成された短片吸収体４２とが積層してなる複層部４０を備えている。複層部とは、吸収層の中の他の部分よりも層数の多い部分のことである。第１実施形態の失禁パッド１Ａの吸収層４においては、短片吸収体４２を形成する吸収シートが介在していない部位は、長片吸収体４１の上部吸収体４１１と下部吸収体４１２とからなる２層構造となっており、長片吸収体４１の上部吸収体４１１と下部吸収体４１２との間に、短片吸収体４２が介在している部位は、長片吸収体４１の上部吸収体４１１及び下部吸収体４１２、並びに短片吸収体４２の上部吸収体４２１及び下部吸収体４２２からなる４層構造となっている。従って、失禁パッド１Ａにおいては、吸収層４の中の２層構造の部分よりも層数の多い４層構造の部分、即ち、短片吸収体４２を配した部分が複層部４０を形成している。第１実施形態の失禁パッド１Ａの吸収層４においては、短片吸収体４２は、長片吸収体４１の上部吸収体４１１の非肌当接面側に固定されていないが、固定されていてもよい。また、第１実施形態の失禁パッド１Ａの吸収層４においては、短片吸収体４２は、長片吸収体４１の下部吸収体４１２と固定されているが、固定されていなくてもよい。長片吸収体４１の上部吸収体４１１と下部吸収体４１２とは、短片吸収体４２が介在していない部位において互いに固定されていてもいなくてもよい。
【００２０】
第１実施形態の失禁パッド１Ａにおいては、複層部４０は、図２に示すように、排泄部領域Ａ及び後方領域Ｂに配置されており、排泄部領域Ａの排泄域複層部４０ａと後方領域Ｂの後方領域複層部４０ｂとから形成されている。複層部４０の排泄域複層部４０ａは、短片吸収体４２の排泄域吸収部４２ａを配した部分であり、複層部４０の後方領域複層部４０ｂは、短片吸収体４２の後方領域吸収部４２ｂを配した部分である。
【００２１】
第１実施形態の失禁パッド１Ａにおいては、短片吸収体４２の排泄域吸収部４２ａは、図３に示すように、エンボスにより形成された長手方向（Ｙ方向）に延びる縦長の屈曲部８を複数個備えている。複数個の縦長の屈曲部８は、図３に示すように、幅方向（Ｘ方向）に間欠的に並設されている。エンボスにより形成された縦長の屈曲部８は、排泄域吸収部４２ａの表面シート２側に形成されている。具体的には、図４に示すように、第１実施形態の失禁パッド１Ａにおいては、短片吸収体４２の排泄域吸収部４２ａは、吸収シートからなる上部吸収体４２１と吸収シートからなる下部吸収体４２２とから形成されており、表面シート２側の上部吸収体４２１側から長手方向（Ｙ方向）にエンボス加工することにより、上部吸収体４２１上に長手方向（Ｙ方向）に延びる凹部である縦長の屈曲部８を複数個形成している。
【００２２】
第１実施形態の失禁パッド１Ａにおいては、後方領域複層部４０ｂ、即ち短片吸収体４２の後方領域吸収部４２ｂは、図３に示すように、スリットにより形成された幅方向（Ｘ方向）に延びる横長の屈曲部７を複数個備えている。複数個の横長の屈曲部７は、図３に示すように、長手方向（Ｙ方向）に間欠的に並設されている。スリットにより形成された横長の屈曲部７は、後方領域吸収部４２ｂの裏面シート３側に形成されている。具体的には、第１実施形態の失禁パッド１Ａにおいては、図４に示すように、短片吸収体４２の後方領域吸収部４２ｂは、吸収シートからなる上部吸収体４２１と吸収シートからなる下部吸収体４２２とから形成されており、裏面シート３側の下部吸収体４２２を幅方向（Ｘ方向）にスリット加工することにより、下部吸収体４２２に複数個の横長の屈曲部７を形成している。上部吸収体４２１はスリット加工されておらず、上部吸収体４２１は横長の屈曲部７を有していない。
【００２３】
第１実施形態の失禁パッド１Ａにおいては、吸収層４（長片吸収体４１）の長手方向（Ｙ方向）の長さは、２７０ｍｍ〜３７０ｍｍであることが好ましく、吸収層４（長片吸収体４１）の幅方向（Ｘ方向）の長さは、６５ｍｍ〜８０ｍｍであることが好ましい。短片吸収体４２の長手方向（Ｙ方向）の長さは、１７０ｍｍ〜２７０ｍｍであることが好ましく、短片吸収体４２の幅方向（Ｘ方向）の長さは、２０ｍｍ〜４０ｍｍであることが好ましい。尚、短片吸収体４２の排泄域吸収部４２ａの長手方向（Ｙ方向）の長さは、５０ｍｍ〜１００ｍｍであることが好ましく、短片吸収体４２の後方領域吸収部４２ｂの長手方向（Ｙ方向）の長さは、１００ｍｍ〜２００ｍｍであることが好ましい。尚、長手方向（Ｙ方向）の長さとは、例えば、吸収層４（長片吸収体４１）に関しては、最も長手方向（Ｙ方向）の長さが長い部分の寸法である。短片吸収体４２、短片吸収体４２の排泄域吸収部４２ａ、短片吸収体４２の後方領域吸収部４２ｂについても同様である。また、幅方向（Ｘ方向）の長さとは、例えば、吸収層４（長片吸収体４１）に関しては、最も幅方向（Ｘ方向）の長さが短い部分の寸法である。短片吸収体４２についても同様である。
【００２４】
パッド１Ａの排泄域吸収部４２ａの有する縦長の屈曲部８は、３個〜７個であることが好ましく、エンボス加工により形成された縦長の屈曲部８の長手方向（Ｙ方向）の長さは、各縦長の屈曲部８とも略同じであることが好ましく、４０ｍｍ〜９０ｍｍであることが好ましい。幅方向（Ｘ方向）における縦長の屈曲部８同士の間隔は、略均等であることが好ましく、５ｍｍ〜１０ｍｍであることが好ましい。縦長の屈曲部８の溝幅は、１ｍｍ〜３ｍｍであることが好ましい。
【００２５】
パッド１Ａの後方領域吸収部４２ｂの有する横長の屈曲部７は、８個〜１０個であることが好ましく、スリット加工により形成された横長の屈曲部７の幅方向（Ｘ方向）の長さは、各屈曲部とも略同じであることが好ましく、１５ｍｍ〜３５ｍｍであることが好ましい。長手方向（Ｙ方向）における横長の屈曲部７同士の間隔は、略均等であることが好ましく、５ｍｍ〜１０５ｍｍであることが好ましい。
【００２６】
第1実施形態の失禁パッド１Ａの形成材料について説明する。
表面シート２、裏面シート３、サイドシート５としては、通常、生理用ナプキン等の吸収性物品に用いられるものであれば、特に制限なく用いることができる。例えば、表面シート２としては、親水性且つ液透過性の不織布や、開孔フィルム、これらの積層体等を用いることができ、裏面シート３としては、液不透過性又は撥水性の樹脂フィルムや樹脂フィルムと不織布の積層体等を用いることができる。サイドシート５としては、裏面シート３と同様のものを用いることができる。
【００２７】
吸収層４を構成する吸収シートとしては、パルプ繊維等からなる繊維集合体と吸水性ポリマーとからなるもの（吸水性ポリマーと繊維材料との混合積繊物）等を用いることができる。吸水性ポリマーの含有量は、８０ｇ／ｍ2〜２００ｇ／ｍ2であることが好ましい。吸収シートの一枚あたりの坪量は、５０ｇ／ｍ2〜１５０ｇ／ｍ2であることが好ましく、その厚みは、０．３ｍｍ〜０．９ｍｍであることが好ましい。尚、厚みの測定は、尾崎製作所（株）製の厚み計である「ＰＥＡＣＯＣＫ  ＵＰＲＩＧＨＴ  ＤＩＡＬ  ＧＵＡＧＥ  Ｎｏ．２０７」を使用し、２．５ｇ／ｍ2荷重下で測定する。吸水性ポリマーの含有量、吸収シートの坪量、厚みの値は、３個のサンプルについて測定した平均値とした。
【００２８】
吸収シートの吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等を用いることができる。繊維集合体としては、パルプ繊維以外に、例えば、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維集合体は、それぞれ一種又は二種以上を組み合わせて用いることができる。
【００２９】
上述した本発明の第１実施形態の失禁パッド１Ａを使用した際の作用効果について説明する。
第１実施形態の失禁パッド１Ａは、図１に示すように、吸収層４が、吸収シートを積層してなる複層部４０を備えているため、吸収量が向上する。さらに、第１実施形態の失禁パッド１Ａは、図１に示すように、短片吸収体４２の後方領域吸収部４２ｂが、幅方向に延びる横長の屈曲部７を複数個備えているため、身体形状の変化の大きい後方領域Ｂのフィット性が向上し、防漏性が優れている。
【００３０】
また、第１実施形態の失禁パッド１Ａは、図３，図４に示すように、後方領域吸収部４２ｂが、スリット加工することにより形成された横長の屈曲部７を下部吸収体４２２に備えている。そのため、後方領域吸収部４２ｂは、肌当接面側に曲がり易く、身体形状の変化の大きい後方領域Ｂのフィット性が更に向上し、防漏性が更に優れている。
【００３１】
また、第１実施形態の失禁パッド１Ａは、図３，図４に示すように、排泄域吸収部４２ａが、エンボス加工することにより形成された凹部である縦長の屈曲部８を上部吸収体４２１上に備えている。そのため、排泄域吸収部４２ａは、凹部を起因として肌当接面側に曲がり易く、装着者の体液排泄部からの体液の幅方向（Ｘ方向）への漏れを防ぎ、防漏性が更に優れている。
【００３２】
次に、本発明の捨ておむつの第２実施形態の失禁パッドについて、図５〜図７に基づいて説明する。
第２実施形態のパンツ型の失禁パッド１Ｂについては、第１実施形態の失禁パッド１Ａと異なる点について説明する。特に説明しない点は、第１実施形態の失禁パッド１Ａと同様であり、第１実施形態の失禁パッド１Ａの説明が適宜適用される。
【００３３】
第２実施形態の失禁パッド１Ｂ（以下、「パッド１Ｂ」ともいう。）は、図５に示すように、排泄域複層部４０ａと後方領域複層部４０ｂとが、中間領域Ｄを挟んで分離されている。
【００３４】
第２実施形態の失禁パッド１Ｂにおいては、短片吸収体４２の排泄域吸収部４２ａは、図６，図７に示すように、エンボスにより形成された幅方向（Ｘ方向）に延びる横長の屈曲部７ａを複数個備えている。複数個の横長の屈曲部７ａは、図５，図６に示すように、長手方向（Ｙ方向）に間欠的に並設されている。エンボスにより形成された横長の屈曲部７ａは、排泄域吸収部４２ａの表面シート２側に形成されている。具体的には、第２実施形態の失禁パッド１Ｂにおいては、図７に示すように、短片吸収体４２の排泄域吸収部４２ａは、吸収シートからなる上部吸収体４２１と吸収シートからなる下部吸収体４２２とから形成されており、表面シート２側の上部吸収体４２１側から幅方向（Ｘ方向）にエンボス加工することにより、上部吸収体４２１上に幅方向（Ｘ方向）に延びる横長の屈曲部７ａを複数個形成している。
【００３５】
第２実施形態の失禁パッド１Ｂにおいては、短片吸収体４２の後方領域吸収部４２ｂは、排泄域吸収部４２ａと同様に、図６，図７に示すように、エンボスにより形成された幅方向（Ｘ方向）に延びる横長の屈曲部７ｂを複数個備えている。複数個の横長の屈曲部７ｂは、図５，図６に示すように、長手方向（Ｙ方向）に間欠的に並設されている。エンボスにより形成された横長の屈曲部７ｂは、後方領域吸収部４２ｂの表面シート２側に形成されている。具体的には、第２実施形態の失禁パッド１Ｂにおいては、図７に示すように、短片吸収体４２の後方領域吸収部４２ｂは、上部吸収体４２１と下部吸収体４２２とから形成されており、表面シート２側の上部吸収体４２１側から幅方向（Ｘ方向）にエンボス加工することにより、上部吸収体４２１上に幅方向（Ｘ方向）に延びる凹部である横長の屈曲部７ｂを複数個形成している。
【００３６】
第２実施形態の失禁パッド１Ｂにおいては、図５に示すように、排泄域複層部４０ａ（排泄域吸収部４２ａを配した部分）と後方領域複層部４０ｂ（後方領域吸収部４２ｂを配した部分）との間には、表面シート２及び吸収層４を圧縮して形成される一対の中間溝９，９が平面視してハの字状に配されている。ハの字状の一対の中間溝９，９は、図５に示すように、中間領域Ｄから排泄域吸収部４２ａの両側に向かい拡開して延びている。一対の中間溝９，９は、図５に示すように、中心線ＣＬに対して左右対称に形成されている。従って以下の説明では、図５に示す右側の中間溝９について説明する。
【００３７】
右側の中間溝９は、図５に示すように、吸収層４の中で、吸収シートから形成される短片吸収体４２が配されていない領域に形成されており、排泄域吸収部４２ａの長手方向（Ｙ方向）の内方端４２ａ１を通って幅方向（Ｘ方向）に延びる仮想直線Ｌを横切るように形成されている。右側の中間溝９は、図５に示すように、直線状であり、仮想直線Ｌ（中心線ＣＬに平行な直線）との傾斜角度αは、５°〜６０°であることが好ましく、中間溝９の長さは、５ｍｍ〜２０ｍｍであることが好ましく、中間溝９の溝幅は、２ｍｍ〜５ｍｍであることが好ましい。
【００３８】
一対の中間溝９，９は、中間溝９に対応する形状の凸条部を周面に有するエンボスロールと、そのエンボスロールの周面に対向配置された受けロールとを具備する熱エンボス装置の両ロール間に、表面シート２、裏面シート３、それらシート間に配された吸収層４からなる積層体を挿通し、表面シート２側をエンボスロール側にして、これらを一体的に加熱及び加圧して形成されている。一対の中間溝９，９の形成方法としては、ヒートエンボス以外に、超音波エンボス、高周波エンボス等によって形成することもできる。
【００３９】
本発明の第２実施形態の失禁パッド１Ｂを使用した際の作用効果について説明する。
第２実施形態の失禁パッド１Ｂは、第１実施形態の失禁パッド１Ａと同様の効果が得られる。以下、第１実施形態の失禁パッド１Ａと異なる効果について説明する。
【００４０】
第２実施形態の失禁パッド１Ｂは、図５に示すように、短片吸収体４２を配した複層部４０が中間領域Ｄを挟んで排泄域複層部４０ａ及び後方領域複層部４０ｂに分離されている。そのため、短片吸収体４２の有無による剛性差により、吸収層４が中間層Ｄの位置で曲がり易く、身体形状へのフィット性が向上し、防漏性が優れている。
【００４１】
また、第２実施形態の失禁パッド１Ｂは、図６，図７に示すように、排泄域吸収部４２ａ及び後方領域吸収部４２ｂが、エンボス加工することにより形成された凹部である横長の屈曲部７ａ，７ｂを上部吸収体４２１上に備えている。そのため、排泄域吸収部４２ａ及び後方領域吸収部４２ｂともに、横長の屈曲部７ａ，７ｂを起因として肌当接面側に曲がり易く、身体形状へのフィット性が向上し、防漏性が優れている。
【００４２】
また、第２実施形態の失禁パッド１Ｂは、図５に示すように、排泄域複層部４０ａと後方領域複層部４０ｂとの間に、表面シート２及び吸収層４を圧縮して形成される一対の中間溝９，９が平面視してハの字状に配されている。そのため、吸収層４の短片吸収体４２を配した複層部４０と、吸収層４の短片吸収体４２を配置していない部分との剛性差に起因する皺の発生を防止することができ、肌触りを向上することができる。
【００４３】
本発明の吸収性物品は、上述の第１実施形態及び第２実施形態の失禁パッド１Ａ，１Ｂに何ら制限されるものではなく、適宜変更可能である。また、上述の第１実施形態及び第２実施形態の失禁パッド１Ａ，１Ｂにおける各構成要件は、本発明の趣旨を損なわない範囲で、適宜組み合わせて実施できる。
【００４４】
例えば、上述の第１実施形態、第２実施形態の失禁パッド１Ａ，１Ｂにおいては、図１，図５に示すように、長手方向（Ｙ方向）の両側部に、一対のサイドシート５，５が、それぞれ配されているが、配されてなくてもよい。また、一対のサイドシート５，５の代わりに一対の立体ギャザーが設けられていてもよい。
【００４５】
また、上述の第１実施形態、第２実施形態の失禁パッド１Ａ，１Ｂにおいては、図２に示すように、長片吸収体４１及び短片吸収体４２は、ともに吸収シートから形成されているが、長片吸収体４１は、吸収シートから形成されていなくてもよく、通常、生理用ナプキン等の吸収性物品に用いられる吸収体であってもよい。吸収体としては、パルプ等の繊維材料の繊維集合体又はこれに高吸収性ポリマーを担持させたものを、ティッシュペーパーや透水性の不織布等の被覆材で包んでなるもの等を用いることができる。
【００４６】
また、上述の第１実施形態、第２実施形態の失禁パッド１Ａ，１Ｂにおいては、図２に示すように、長片吸収体４１及び短片吸収体４２は、ともに一枚の吸収シートをＣ状に折り畳んで形成されているが、折り畳む必要はない。その場合、長片吸収体４１と、吸収シートから形成された短片吸収体４２とが積層してなる複層部４０は、２層構造となっている。また、折り畳まずに二枚の吸収シートをそれぞれ使用して形成してもよい。
【００４７】
また、上述の第１実施形態の失禁パッド１Ａにおいては、図３に示すように、排泄域吸収部４２ａは、縦長の屈曲部８を備えており、第２実施形態の失禁パッド１Ｂにおいては、図６に示すように、排泄域吸収部４２ａは、横長の屈曲部７ａを備えているが、何れの排泄域吸収部４２ａも、横長の屈曲部７ａ又は縦長の屈曲部８を備えなくてもよい。
【００４８】
また、上述の第１実施形態の失禁パッド１Ａにおいては、図４に示すように、スリットにより形成された横長の屈曲部７を裏面シート３側の下部吸収体４２２に形成しているが、上部吸収体４２１に形成してもよく、上部吸収体４２１及び下部吸収体４２２に形成してもよい。
【００４９】
また、上述の第２実施形態の失禁パッド１Ｂにおいては、図７に示すように、エンボスにより形成された横長の屈曲部７ａを表面シート２側の上部吸収体４２１側から形成しているが、下部吸収体４２２側から形成してもよい。
【００５０】
また、上述の第２実施形態の失禁パッド１Ｂにおいては、図５に示すように、一対のハの字状の中間溝９，９を備えているが、備えてなくてもよい。
【００５１】
本発明の吸収性物品は、失禁パッド以外にも、例えば、生理用ナプキン、パンティーライナー等に好適に用いることができる。
【図面の簡単な説明】
【００５２】
【図１】図１は、本発明の第１実施形態である失禁パッドを示す平面図である。
【図２】図２は、図１のＸ１−Ｘ１線断面図である。
【図３】図３は、第１実施形態の失禁パッドの短片吸収体を示す平面図である。
【図４】図４は、図３のＹ１−Ｙ１線断面図である。
【図５】図５は、本発明の第２実施形態である失禁パッドを示す平面図である。
【図６】図６は、第２実施形態の失禁パッドの短片吸収体を示す平面図である。
【図７】図７は、図６のＹ２−Ｙ２線断面図である。
【符号の説明】
【００５３】
１Ａ，１Ｂ  失禁パッド
２  表面シート
３  裏面シート
４  吸収層
４ａ  長手方向（Ｙ方向）の端縁
４ｂ  長手方向（Ｙ方向）の側縁
４０  複層部
４０ａ  排泄域複層部、４０ｂ  後方領域複層部
４１  長片吸収体
４１１  上部吸収体、４１２  下部吸収体
４２  短片吸収体
４２ａ  排泄域吸収部、４２ｂ  後方領域吸収部
４２ａ１  長手方向（Ｙ方向）の内方端
４２１  上部吸収体、４２２  下部吸収体
５  サイドシート
６  サイドフラップ部
６１  ウイング部
６２  後方フラップ部
７，７ａ，７ｂ  横長の屈曲部
８  縦長の屈曲部
９  中間溝
【図１】
2010142367.tif 000003
【図２】
2010142367.tif 000004
【図３】
2010142367.tif 000005
【図４】
2010142367.tif 000006
【図５】
2010142367.tif 000007
【図６】
2010142367.tif 000008
【図７】
2010142367.tif 000009